(57)【特許請求の範囲】
【請求項１】
長方形状のシートの短辺と平行に第１折り部と第２折り部を設け、前記第１折り部と前記第２折り部との間隔は、前記第２折り部からこの折り部側の短辺までの間隔とほぼ等しく設定し、前記第１折り部からこの折り部側の短辺までの間隔は、前記第１折り部と前記第２折り部との間隔よりも狭く設定する一方、前記シートの長辺と平行に第１切り用ミシン目を設け、この切り用ミシン目と平行に一方の長辺に沿って、前記第１折り部と前記第２折り部との間を除いて互いに延長線上に位置するように第２切り用ミシン目及び第３切り用ミシン目を設け、前記シートの一面側には、前記第２折り部側の短辺に沿った部分の前記第１及び第２切り用ミシン目で挟まれる部分に弱接着部を設けるとともに、前記短辺に沿った残りの部分と一対の長辺にそれぞれ沿った部分とに強接着部を設け、前記シートの他面側には、前記第１折り部に沿った前記第２折り部とは反対側の部分における前記第１及び第３切り用ミシン目で挟まれる部分に弱接着部を設けるとともに、前記第１折り部に沿った残りの部分と、前記第１折り部からこの折り部側の短辺に向けて伸びる一対の長辺に沿った部分にそれぞれ強接着部を設けたことを特徴とする折り畳み封書用シート。
【請求項２】
シートの長辺と平行に伸びる第１切り用ミシン目で２分割される部分のうち第２切り用ミシン目を含まない側の第１折り部と前記第２折り部との間、または、前記第２折り部からこの折り部側の短辺までの間のいずれか一方の部分で、強接着部が設けられていない面を宛名表示面とし、前記２分割される部分のうち第２切り用ミシン目を含む側の第１折り部と前記第２折り部との間、または、前記第２折り部からこの折り部側の短辺までの間のいずれか一方の部分を葉書片としたことを特徴とする前記請求項１記載の折り畳み封書用シート。
【請求項３】
前記請求項１又は前記請求項２に記載の折り畳み封書用シートを、第２折り部側の短辺に沿って弱接着部を設けた面を内側にして、前記第１折り部でこの折り部から短辺側を前記内面側に折り重ねて各長辺に沿った強接着部同士を対接する一方、この折り重ねの前後に内面側の前記第１折り部と前記第２折り部との間に書簡などの収容物を載置し、前記第２折り部でこの折り部から短辺側を前記内面側に折り重ねて各長辺及び各短辺の一部と平行に伸びる強接着部同士及び各短辺の残りの部分と平行に伸びる弱接着部同士を対接し、強接着部同士は剥離困難に、弱接着部同士は剥離可能に接着したことを特徴とする折り畳み封書。
【発明の詳細な説明】
【０００１】
【産業上の利用分野】
本発明は、折り畳んで内部に書簡や、印刷物などの収容物を収容した封書とする折り畳み封書用シート及びこのシートを用いた折り畳み封書に関する。
【０００２】
【従来の技術】
従来の折り畳み封書用シートを用いた封書は、三辺に沿って設けた開封用ミシン目を破断してこの三辺を切り取ったり、一辺に平行に設けた二条の開封用ミシン目を破断して帯状に切り取って、開封するよう構成している。
【０００３】
【発明が解決しようとする課題】
このため、従来にあっては、開封に際して切り取った部分が廃棄物となるので、その廃棄処理が煩雑であるという不都合があった。本発明は、この不都合を解消することを目的とする。
【０００４】
【課題を解決するための手段】
この目的を達成するために本発明の折り畳み封書用シート１は、長方形状のシート１の短辺１ａ，１ｂと平行に第１折り部Ｐと第２折り部Ｑを設け、前記第１折り部Ｐと前記第２折り部Ｑとの間隔は、前記第２折り部Ｑからこの折り部Ｑ側の短辺１ａまでの間隔とほぼ等しく設定し、前記第１折り部Ｐからこの折り部Ｐ側の短辺１ｂまでの間隔は、前記第１折り部Ｐと前記第２折り部Ｑとの間隔よりも狭く、例えばほぼ半分に設定する一方、前記シート１の長辺１ｃ，１ｄと平行に第１切り用ミシン目４ａを設け、この切り用ミシン目４ａと平行に一方の長辺１ｃに沿って、前記第１折り部Ｐと前記第２折り部Ｑとの間を除いて互いに延長線上に位置するように第２切り用ミシン目４ｂ及び第３切り用ミシン目４ｃを設け、前記シート１の一面側には、前記第２折り部側の短辺１ａに沿った部分の前記第１及び第２切り用ミシン目４ａ，４ｂで挟まれる部分に弱接着部２ａを設けるとともに、前記短辺１ａに沿った残りの部分と一対の長辺１ｃ，１ｄにそれぞれ沿った部分とに帯状の鍵型に伸びる強接着部３ｂと、帯状の直線的に伸びる強接着部３ａを設け、前記シート１の他面側には、前記第１折り部Ｐに沿った前記第２折り部Ｑとは反対側の部分における前記第１及び第３切り用ミシン目４ａ，４ｃで挟まれる部分に弱接着部２ｂを設けるとともに、前記第１折り部Ｐに沿った残りの部分と、前記第１折り部Ｐからこの折り部側の短辺１ｂに向けて伸びる一対の長辺１ｃ，１ｄに沿った部分にそれぞれ帯状の鍵型に伸びる強接着部３ｄと、帯状の直線的に伸びる強接着部３cを設けたものである。
【０００５】
また、上述の構成において、シート１の第１切り用ミシン目４ａで２分割される部分のうち第２切り用ミシン目４ｂを含まない側の第１折り部Ｐと前記第２折り部Ｑとの間、または、前記第２折り部Ｑからこの折り部側の短辺１ａまでの間のいずれか一方の部分で、強接着部３ａ，３ｂが設けられていない面を宛名表示面Ｓとし、前記２分割される第２切り用ミシン目４ｂを含む側の第１折り部Ｐと前記第２折り部Ｑとの間、または、前記第２折り部Ｑからこの折り部Ｑ側の短辺１ａまでの間のいずれか一方の部分を葉書片Ｔとすると好適である。
【０００６】
上記構成の折り畳み封書用シート１から作成する封書５は、上記折り畳み封書用シート１を、第２折り部Ｑ側の短辺１ａに沿って弱接着部２ａを設けた面を内側にして、前記第１折り部Ｐでこの折り部Ｐから短辺１ｂ側を前記内面側に折り重ねて各長辺１ｃ，１ｄに沿った強接着部３ａ，３ｂ同士を対接する一方、この折り重ねの前後に内面側の前記第１折り部Ｐと前記第２折り部Ｑとの間に書簡Ｌなどの収容物を載置し、前記第２折り部Ｑでこの折り部Ｑから短辺１ａ側を前記内面側に折り重ねて各長辺１ｃ，１ｄ及び各短辺１ａ，１ｂの一部と平行に伸びる強接着部３ａ，３ｂ，３ｃ，３ｄ同士及び各短辺１ａ，１ｂの残りの部分と平行に伸びる弱接着部２ａ，２ｂ同士を対接し、強接着部３ａ，３ｂ，３ｃ，３ｄ同士は剥離困難に、弱接着部２ａ，２ｂ同士は剥離可能に接着してなるものである。
【０００７】
さらにより好適な構成として、上記各構成に加えて、剥離開始端となる短辺１ａに剥離開始動作を容易に行うための切り欠き部を設けることができる。
【０００８】
【発明の実施の形態】
以下、本発明の好適な実施形態を添付図面に基づいて詳細に説明する。ここにおいて、図１はシートの内面側を示す概略的な平面図、図２はシートの外面側を示す概略的な平面図、図３は第１折り部で折り重ねた状態を示す概略的な平面図、図４はさらに第２折り部で折り重ねて封書とした状態の概略的な平面図、図５は開封の第１段階を示す概略的な斜視図、図６は開封の第２段階を示す概略的な斜視図、図７は分離した葉書片を示す概略的な斜視図である。
【０００９】
図１及び図２に示すように、折り畳み封書用シート１は、長方形状で、短辺１ａ，１ｂと平行に第１折り部Ｐと第２折り部Ｑを設けている。これら折り部Ｐ，Ｑはあらかじめ決定された折り予定部であって、ミシン目や指示線などで明示されていないので、仮想線で図示している。前記第１折り部Ｐと前記第２折り部Ｑとの間隔は、前記第２折り部Ｑからこの折り部Ｑ側の短辺１ａまでの間隔とほぼ等しく設定する一方、前記第１折り部Ｐからこの折り部Ｐ側の短辺１ｂまでの間隔は、前記各間隔のほぼ半分に設定している。
【００１０】
また、シート１の長辺１ｃ，１ｄと平行に、かつ、一方の長辺１ｃに寄った位置に、第１切り用ミシン目４ａを設け、この切り用ミシン目４ａと平行に前記一方の長辺１ｃに沿って、第１折り部Ｐと前記第２折り部Ｑとの間を除いて互いに延長線上に位置するように第２切り用ミシン目４ｂ及び第３切り用ミシン目４ｃを設けている。なお、前記各折り部Ｐ，Ｑと、前記長辺１ｃ及び前記第１切り用ミシン目４ａに囲まれた部分で葉書片Ｔを構成し、この葉書片Ｔの大きさは官製葉書とほぼ同一大である。
【００１１】
図１に示す、折り畳み封書用シート１を折り畳む際の内面側には、前記第２折り部Ｑ側の短辺１ａに沿った部分の前記第１及び第２切り用ミシン目４ａ，４ｂで挟まれる部分に弱接着部２ａを設けるとともに、前記短辺１ａに沿った残りの部分と一対の長辺１ｂ，１ｃにそれぞれ沿った部分とに帯状の鍵型に伸びる強接着部３ｂと、帯状の直線的に伸びる強接着部３ａを設けている。
【００１２】
一方、図２に示す、折り畳み封書用シート１を折り畳む際の外面側には、第１折り部Ｐに沿った第２折り部Ｑとは反対側の部分、換言すると、第１折り部Ｐに沿った短辺１ｂ側の部分における第１及び第３切り用ミシン目４ａ，４ｃで挟まれる部分に弱接着部２ｂを設けている。また、前記第１折り部Ｐに沿った残りの部分と、前記第１折り部Ｐからこの折り部側の短辺１ｂに向けて伸びる一対の長辺１ｃ，１ｄに沿った部分にそれぞれ帯状の鍵型に伸びる強接着部３ｄと、帯状の直線的に伸びる強接着部３cを設けている。そして、この外面側の第２折り部Ｑと第１切り用ミシン目４ａで囲まれ得た部分で宛名表示面Ｓを構成する。
【００１３】
続いて、上述した折り畳み封書用シート１を用いて形成する封書５について説明する。図１に示すように、折り畳み封書用シート１の短辺１ａに沿って弱接着部２ａを設けた面である内面側には、あらかじめ、葉書片Ｔの宛名表示面には返信宛名表示１１を、前記葉書片Ｔに連接する第２折り部Ｑ側には案内表示１２を、前記葉書片Ｔに連接する第１折り部Ｑ側には説明文１３を、それぞれ印刷しておく。これらの各表示１１，１２，１３は、各あて先すべてに共通する同一な固定情報である。
【００１４】
一方、図２に示すように、前記折り畳み封書用シート１の外面側における宛名表示面Ｓには、封書５の送り先となる宛名表示１４を、適宜なプリンタ（図示せず）で印字する。この印字は、送り先毎に異なる可変情報であり、前記プリンタをあらかじめ送り先データを入力したコンピュータ（図示せず）に連繋して行うと好適である。
【００１５】
このように必要な情報を印字、あるいは印刷した後、折り畳み封書用シート１を、図３に示すように、第１折り部Ｐでこの折り部Ｐから短辺１ｂ側を内面側に折り重ね、各長辺１ｃ，１ｄに沿った強接着部３ａ，３ｂ同士を対接する。この折り重ねの前後に、シート１の内面側の第１折り部Ｐと第２折り部Ｑとの間に収容物、例えば書簡Ｌ（仮想線で図示）を載置する。
【００１６】
この図３状態から、第２折り部Ｑでこの折り部Ｑから短辺１ａ側を内面側、すなわち書簡Ｌ上に折り重ねて、各長辺１ｃ，１ｄに沿った強接着部３ａ，３ｃ、３ｂ，３ｄ同士及び弱接着部２ａ，２ｂ同士を対接し、強接着部３ａ，３ｃ、３ｂ，３ｄ同士は剥離困難に、弱接着部２ａ，２ｂ同士は剥離可能に接着して、図４に示す封書５とするものである。そして、この封書５は通常の封書と同様に投函され、宛名人に郵送される。
【００１７】
次に、上述の如く構成した封書５の開封手順について説明する。まず、図４図示状態において、短辺１ａ端から各切り用ミシン目４ａ，４ｂを破断して、前記短辺１ａ端から前記各切り用ミシン目４ａ，４ｂの間に対応する部分を捲り上げ、弱接着部２ａ，２ｂ同士の接着を剥離して、順次前記各切り用ミシン目４ａ、４ｂを破断していく。これによって、図５に示すように、内側に位置している第１折り部Ｐから短辺１ｂ側の部分と葉書片Ｔ及び書簡Ｌの一部が露出する。次いで、前記露出した短辺１ｂ端を摘んで、各開封用ミシン目４ａ，４ｃを破断しつつ引き上げると、図６に示すように、封書５の一面の宛名表示面Ｓを除いた部分が開口した開封状態となり、収容していた書簡Ｌのほぼ半分が露出して、これを取り出すことができる。
【００１８】
そして、葉書片Ｔに対応する第１切り用ミシン目４ａを破断するとともに、この葉書片Ｔの上下を区画する各折り部Ｐ，Ｑに対応する位置で切断して、独立した葉書片Ｔを得ることができる（図７参照）。この葉書片Ｔには、既に封書差し出し会社などのあて先が印刷されているので、書簡Ｌの内容に対する返信葉書として使用するのに好適である。また、前記各折り部Ｐ，Ｑを切り用ミシン目で構成すると、前記葉書片Ｔの分離が容易になる。
【００１９】
なお、本発明は上述した実施形態に限定されるものではなく、例えば、第１折り部Ｐと第２折り部Ｑとの間隔よりも狭い、折り部Ｐと短辺１ｂとの間隔は、前記間隔のほぼ半分には限らない。また、葉書片Ｔを、第２折り部Ｑと短辺１ａとの間の部分で形成してもよい。さらに、宛名表示面Ｓを、第１折り部Ｐと第２折り部Ｑとの間の部分における外面側で形成してもよい。
【００２０】
【発明の効果】
以上説明したところで明らかなように、本願の請求項１の折り畳み封書用シートによれば、各折り部で三つ折りすることにより、封書を容易に形成できるという効果を奏する。
【００２１】
また、本願請求項２の折り畳み封書用シートによれば、上述した効果に加え、シートの一部を葉書片として有効活用できる、という効果を奏する。
【００２２】
さらに、本願請求項３の封書によれば、開封時に切り屑のような廃棄物が生じず、開封も容易であるとともに従来にない開封法なので、封書受領者の興味をそそり開封率が向上する、という効果を奏する。
【図面の簡単な説明】
【図１】折り畳み封書用シートの内面側を示す概略的な平面図。
【図２】折り畳み封書用シートの外面側を示す概略的な平面図。
【図３】第１折り部で折り重ねた状態を示す概略的な平面図。
【図４】封書とした状態の概略的な平面図。
【図５】開封の第１段階を示す斜視図。
【図６】開封の第２段階を示す斜視図である。
【図７】分離した葉書片を示す概略的な斜視図。
【符号の説明】
１      折り畳み封書用シート
１ａ，１ｂ      短辺
１ｃ，１ｄ      長辺
２ａ，２ｂ      弱接着部
３ａ，３ｂ，３ｃ，３ｄ      強接着部
４ａ，４ｂ，４ｃ      切り用ミシン目
５      封書
Ｐ，Ｑ      折り部
Ｓ      宛名表示面
Ｔ      葉書片
【図１】
0003933956.tif 000002
【図２】
0003933956.tif 000003
【図３】
0003933956.tif 000004
【図４】
0003933956.tif 000005
【図５】
0003933956.tif 000006
【図６】
0003933956.tif 000007
【図７】
0003933956.tif 000008